(57)【特許請求の範囲】
【請求項１】
画面部、
ルータ部、
フレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部、
前記画面部とルータ部を連結する２個以上のルータ連結領域を含む第１パッド部、
前記ルータ部とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結する２個以上のＦＰＣＢ連結領域を含む第２パッド部、および、
ＦＰＣＢ連結領域とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結し、導電性ボールを含むＡＣＦ（Ａｎｉｓｏｔｒｏｐｉｃ  Ｃｏｎｄｕｃｔｉｖｅ  Ｆｉｌｍ）を含み、
前記２個以上のＦＰＣＢ連結領域のうち少なくとも一部領域は、複数の開口領域がある伝導性パターンを含み、
前記２個以上のＦＰＣＢ連結領域のうち開口領域の比率は、２０〜７０％であり、
前記画面部は第１伝導性パターンを含み、前記ルータ部および第１パッド部は第２伝導性パターンを含み、前記第２パッド部は第３伝導性パターンを含み、
前記第１伝導性パターン、第２伝導性パターンおよび第３伝導性パターンは１回のリバースオフセット印刷工程によって形成され、
前記ＦＰＣＢ連結領域内の複数の開口領域間の最短距離または遮蔽領域の最短幅は前記導電性ボールの最大大きさより大きいことを特徴とするタッチパネル。
【請求項２】
前記２個以上のルータ連結領域のうち少なくとも一部領域は、開口領域がある伝導性パターンを含むことを特徴とする、請求項１に記載のタッチパネル。
【請求項３】
前記２個以上のルータ連結領域のうち開口領域の比率は、１０〜９９％であることを特徴とする、請求項２に記載のタッチパネル。
【請求項４】
前記画面部は第１伝導性パターンを含み、前記ルータ部および第１パッド部は第２伝導性パターンを含み、
前記第２伝導性パターンのうち少なくとも一部は前記第１伝導性パターンと線幅が異なることを特徴とする、請求項１〜３のいずれか一項に記載のタッチパネル。
【請求項５】
前記第２伝導性パターンのうち少なくとも一部と前記第１伝導性パターンの線幅の差は、５マイクロメーター以上であることを特徴とする、請求項４に記載のタッチパネル。
【請求項６】
前記第２伝導性パターンのうち少なくとも一部と前記第１伝導性パターンの線幅の差は、１５マイクロメーター以上であることを特徴とする、請求項４または５に記載のタッチパネル。
【請求項７】
前記第２伝導性パターンのうち少なくとも一部と前記第１伝導性パターンの線幅の差は、３０マイクロメーター以上であることを特徴とする、請求項４〜６のいずれか一項に記載のタッチパネル。
【請求項８】
前記第２伝導性パターンのうち少なくとも一部と前記第１伝導性パターンの線幅の差は、１００マイクロメーター以下であることを特徴とする、請求項４〜７のいずれか一項に記載のタッチパネル。
【請求項９】
前記画面部は第１伝導性パターンを含み、前記ルータ部および第２パッド部は第３伝導性パターンを含み、
前記第３伝導性パターンのうち少なくとも一部は前記第１伝導性パターンと線幅が異なることを特徴とする、請求項１〜３のいずれか一項に記載のタッチパネル。
【請求項１０】
前記第３伝導性パターンのうち少なくとも一部と前記第１伝導性パターンの線幅の差は、５マイクロメーター以上であることを特徴とする、請求項９に記載のタッチパネル。
【請求項１１】
前記第３伝導性パターンのうち少なくとも一部と前記第１伝導性パターンの線幅の差は、１５マイクロメーター以上であることを特徴とする、請求項９または１０に記載のタッチパネル。
【請求項１２】
前記第３伝導性パターンのうち少なくとも一部と前記第１伝導性パターンの線幅の差は、３０マイクロメーター以上であることを特徴とする、請求項９〜１１のいずれか一項に記載のタッチパネル。
【請求項１３】
前記第３伝導性パターンのうち少なくとも一部と前記第１伝導性パターンの線幅の差は、１００マイクロメーター以下であることを特徴とする、請求項９〜１２のいずれか一項に記載のタッチパネル。
【請求項１４】
前記第１伝導性パターン、第２伝導性パターンおよび第３伝導性パターンは各々独立して金属、金属酸化物、金属窒化物、金属酸化窒化物および金属合金（ａｌｌｏｙ）からなる群から選択される１種以上を含むことを特徴とする、請求項１〜３のいずれか一項に記載のタッチパネル。
【請求項１５】
前記第１伝導性パターン、第２伝導性パターンおよび第３伝導性パターンは各々独立してＡｇ、Ｃｕ、Ｃｒ、Ａｌ、Ｍｏ、Ｎｉ、これらの酸化物、これらの窒化物、これらの酸化窒化物およびこれらの合金からなる群から選択される１種以上を含むことを特徴とする、請求項１〜４のいずれか一項に記載のタッチパネル。
【請求項１６】
請求項１〜１５のいずれか一項に記載のタッチパネルを含むディスプレイ装置。
【発明の詳細な説明】
【技術分野】
【０００１】
本出願は２０１１年１２月２３日に韓国特許庁に提出された韓国特許出願第１０−２０１１−０１４１７４６号の出願日の利益を主張し、その内容の全ては本明細書に含まれる。
本発明は、タッチパネルおよびそれを含むディスプレイ装置に関する。
【背景技術】
【０００２】
最近、スマートフォンおよびタブレットＰＣ、ＩＰＴＶなどの普及が加速化するにつれ、キーボードやリモコンのような別途の入力装置無しで人の手が直接入力装置となるタッチ機能に対する必要性が益々大きくなっている。また、特定ポイントの認識だけでなく、筆記が可能なマルチタッチ（ｍｕｌｔｉ−ｔｏｕｃｈ）機能もさらに求められている。
【０００３】
前記のような機能をするタッチパネルは信号の検出方式に応じて次のように分類することができる。
【０００４】
すなわち、直流電圧を印加した状態で圧力によって押された位置を電流または電圧値の変化によって検知する抵抗膜方式（ｒｅｓｉｓｔｉｖｅ  ｔｙｐｅ）と、交流電圧を印加した状態で容量結合（ｃａｐａｃｉｔａｎｃｅ  ｃｏｕｐｌｉｎｇ）を利用した静電容量方式（ｃａｐａｃｉｔｉｖｅ  ｔｙｐｅ）と、磁界を印加した状態で選択された位置を電圧の変化として検知する電磁誘導方式（ｅｌｅｃｔｒｏｍａｇｎｅｔｉｃ  ｔｙｐｅ）などがある。
【０００５】
この中、最も普遍化した抵抗膜方式および静電容量方式のタッチパネルは、ＩＴＯフィルムのような透明導電膜を用いて電気的な接触や静電容量の変化によってタッチ有無を認識する。しかし、前記のような透明導電膜は、１５０ｏｈｍ／ｓｑｕａｒｅ以上の高抵抗が大半であるために大型化時に感度が落ち、スクリーンの大きさが大きくなるほどＩＴＯフィルムの価格が急増するという問題で商用化が容易ではない。これを克服するために、伝導度の高い金属パターンを用いた方式で大型化を実現しようとする試みがなされている。
【０００６】
タッチパネルを金属パターンで形成する場合、画面部には微細パターンが備えられる反面、電源と連結されるためのパッド部には比較的に広い領域に伝導性パターンが備えられなければならない。したがって、これらを一度に形成するためにフォトリソグラフィ法を利用する場合は費用が高いという問題があり、印刷法を利用する場合は印刷ロールの底部接触現象によって所望の形状のパターンを形成することができないという問題がある。これを克服するために、画面部とパッド部を互いに異なる別途の工程で形成する方法が試みられているが、工程が複雑で費用が高いという問題がある。
【発明の概要】
【発明が解決しようとする課題】
【０００７】
前述した従来技術の問題点を解決するために、タッチパネルの画面部とパッド部を低費用で簡単に製造する方法の研究を重ねた結果、本発明に至った。
【課題を解決するための手段】
【０００８】
本発明の一実施状態は、
画面部、
ルータ部、
フレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部、
前記画面部とルータ部を連結する２個以上のルータ連結領域を含む第１パッド部、および
前記ルータ部とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結する２個以上のＦＰＣＢ連結領域を含む第２パッド部を含み、
前記２個以上のＦＰＣＢ連結領域のうち少なくとも一部領域は開口領域がある伝導性パターンを含むことを特徴とするタッチパネルを提供する。
【０００９】
また、本発明のまた１つの実施状態は、
前記タッチパネルを含むディスプレイ装置を提供する。
【発明の効果】
【００１０】
本発明においては、ルータ部とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結するＦＰＣＢ連結領域の全体が伝導性物質で塗布されているものではなく、開口領域がある伝導性パターンで構成することによって、印刷法によって画面部と共に１つの工程で形成することができる。これにより、低費用と簡単な工程でタッチパネルを提供することができる。
また、本発明においては、ＦＰＣＢ連結領域の全体が伝導性物質で塗布されているものではなく、開口領域がある伝導性パターンで構成することによって、本発明によるタッチパネルとＦＰＣＢ部の付着時の付着力をより向上させることができる。
【図面の簡単な説明】
【００１１】
【図１】本発明の一実施状態によるルータ部および第１パッド部に含まれる伝導性パターンの一例を示したものである。
【図２】本発明によるタッチパネルの伝導性パターンの形成工程を例示したものである。
【図３】本発明によるタッチパネルの伝導性パターンの形成工程を例示したものである。
【図４】本発明の第２パッド部とＦＰＣＢ間の付着力テストのための設備を示す図である。
【図５】本発明の一実施状態によるタッチパネルの第２パッド部を示す図である。
【図６】本発明の一実施状態によるタッチパネルの第２パッド部を示す図である。
【発明を実施するための形態】
【００１２】
以下では本発明についてより詳細に説明する。
【００１３】
本発明によるタッチパネルは、画面部、ルータ部、フレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部、前記画面部とルータ部を連結する２個以上のルータ連結領域を含む第１パッド部、および前記ルータ部とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結する２個以上のＦＰＣＢ連結領域を含む第２パッド部を含み、前記２個以上のＦＰＣＢ連結領域のうち少なくとも一部領域は開口領域がある伝導性パターンを含むことを特徴とする。
【００１４】
以下の説明において、伝導性パターンまたは伝導性基板と関わる説明は、透明基材の一面または両面に伝導性パターンが備えられた１つの伝導性基板を含むタッチパネルに関するものであるか、透明基材と伝導性パターンを含む伝導性基板が２つ積層して含まれるタッチパネルに関するものであるかを区分して説明しなくても、特に言及がない限り、本発明によるタッチパネルの全実施状態に適用されることができる。
【００１５】
本発明によるタッチパネルにおいて、前記２個以上のＦＰＣＢ連結領域のうち開口領域の比率は１０〜９９％であってもよいが、これのみに限定されるものではない。但し、ＡＣＦ（Ａｎｉｓｏｔｒｏｐｉｃ  Ｃｏｎｄｕｃｔｉｖｅ  Ｆｉｌｍ）の導電性ボールの大きさ（壊れる前の大きさ）より遮蔽領域に該当する領域の幅が大きいことが接触観点から好ましいため、ＡＣＦに含まれている導電性ボールの大きさ（壊れる前の大きさ）に応じ、当業者が遮蔽された領域の線幅をＡＣＦ内に含まれた導電性ボールの大きさ（壊れる前の大きさ）より大きく設定した後、これに合う開口面積を選択して用いるか、あるいは逆に定められた開口面積の比率に対応する線幅以下に該当する導電性ボールを含むＡＣＦを選定して用いることができる（図６参照）。一般的に、このような観点から解釈すれば、開口面積が約２０〜７０％の間の領域を有するようにＦＰＣＢ連結領域を設計することが好ましいと言える。
【００１６】
したがって、本発明において、前記タッチパネルはＦＰＣＢ連結領域とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結し、導電性ボールを含むＡＣＦ（Ａｎｉｓｏｔｒｏｐｉｃ  Ｃｏｎｄｕｃｔｉｖｅ  Ｆｉｌｍ）をさらに含み、前記ＦＰＣＢ連結領域内の開口領域間の最短距離または遮蔽領域の最短幅は前記導電性ボールの最大大きさより大きいか等しくてもよい。
【００１７】
前記開口領域の形態は直線、曲線、波線、ジグザグ線などからなる閉鎖図形の形態であってもよく、前記線のうち少なくとも２種類が混在した閉鎖図形の形態であってもよい。また、前記開口領域の形態は多角形、円形などであってもよいが、これらのみに限定されるのではない。図５には本発明の一実施状態によるタッチパネルの第２パッド部を示す。
【００１８】
本発明によるタッチパネルにおいて、前記２個以上のルータ連結領域のうち少なくとも一部領域は開口領域がある伝導性パターンを含むことができる。前記２個以上のルータ連結領域のうち開口領域の比率は１０〜９９％であってもよいが、これのみに限定されるのではない。前記開口領域の形態は直線、曲線、波線、ジグザグ線などからなる閉鎖図形の形態であってもよく、前記線のうち少なくとも２種類が混在した閉鎖図形の形態であってもよい。また、前記開口領域の形態は多角形、円形などであってもよいが、これらのみに限定されるのではない。
【００１９】
本発明によるタッチパネルにおいて、前記画面部は第１伝導性パターンを含み、前記ルータ部および第１パッド部は第２伝導性パターンを含み、前記第２パッド部は第３伝導性パターンを含むことができる。
【００２０】
本発明によるタッチパネルにおいて、前記第２伝導性パターンのうち少なくとも一部は前記第１伝導性パターンと線幅が異なってもよく、前記第３伝導性パターンのうち少なくとも一部は前記第１伝導性パターンと線幅が異なってもよい。
【００２１】
より具体的には、前記第２伝導性パターンのうち少なくとも一部の線幅は前記第１伝導性パターンの線幅より大きくてもよい。例えば、前記第２伝導性パターンのうち少なくとも一部と前記第１伝導性パターンの線幅の差は５マイクロメーター以上であってもよく、１５マイクロメーター以上であってもよく、３０マイクロメーター以上であってもよく、１００マイクロメーター以下であってもよい。
【００２２】
また、前記第３伝導性パターンのうち少なくとも一部の線幅は前記第１伝導性パターンの線幅より大きくてもよい。例えば、前記第３伝導性パターンのうち少なくとも一部と前記第１伝導性パターンの線幅の差は５マイクロメーター以上であってもよく、１５マイクロメーター以上であってもよく、３０マイクロメーター以上であってもよく、１００マイクロメーター以下であってもよい。
【００２３】
本発明によるタッチパネルにおいて、前記第１伝導性パターン、第２伝導性パターンおよび第３伝導性パターンは印刷法によって形成されることができる。具体的な例として、リバースオフセット印刷法またはグラビア印刷法によって透明基材上に伝導性パターンを形成することができ、伝導性層が形成された基材上にリバースオフセット印刷法またはグラビアオフセット印刷法によってエッチングレジストを形成した後、これを利用して伝導性層をエッチングすることによって伝導性パターンを形成することもできる。本発明においては、パターン精密度のためにリバースオフセット印刷法がより好ましい。
【００２４】
本発明の一実施状態によれば、前述したように線幅が互いに異なる２種以上の伝導性パターンを含みつつも、１つの工程で製造するために、印刷法に用いられるクリシェのパターンの幅と深さを調節することができる。一実施状態によれば、パターンの深さが同一なクリシェにおいてパターンの幅と深さ間の関係を調節することによって前記のような伝導性パターンを１つの工程で形成することができる。また１つの実施状態によれば、パターンの深さが互いに異なる２以上の領域を含むクリシェを用いることができ、この場合、所望のパターンの幅に応じて適宜なパターンの深さを有するクリシェを用いることにより、前記のような伝導性パターンを１つの工程で形成することができる。このようなクリシェはダブルエッチングによって得ることができる。
【００２５】
一例として、本発明においては、溝部パターンを含むクリシェとして、前記溝部パターンが、互いに交差しない線形パターンからなる領域を含み、前記線形パターンからなる領域は、その領域内で線形パターンの線を２個以上を含むスクエア領域として前記線形パターンの線幅Ｗと深さＤ、前記スクエア領域のうち前記線形パターンが備えられない領域の比Ｒおよび前記線形パターンに対応するパターン形成用マスクパターンの開口線幅Ｗ０が下記関係式１および２を満たす領域を含むことを特徴とするクリシェを用いることができる。
［関係式１］
Ｗ＝２Ｄ＋Ｗ０＋Ｘ
［関係式２］
Ｄ≧４２．９ｅｘｐ（−Ｒ／０．３５）−１．５
ここで、Ｘは定数であり、
Ｄ、Ｗ、Ｗ０およびＸはマイクロメーター単位の値であり、
Ｒは０超過１未満の値である。
【００２６】
この時、前記スクエア領域における前記線形パターンの線幅ＷとピッチＰおよび前記スクエア領域のうち前記線形パターンが備えられない領域の比Ｒは下記関係式３をさらに満たすことができる。
［関係式３］
Ｒ＝Ｐ（Ｐ−Ｗ）／Ｐ２＝（Ｐ−Ｗ）／Ｐ
ここで、Ｗ、ＰおよびＸはマイクロメーター単位の値であり、
Ｒは０超過１未満の値である。
【００２７】
前記線形パターンは規則または不規則パターンであってもよく、前記線形パターンは直線、曲線、ジグザグ線またはこれらの組み合わせを含むことができる。
【００２８】
前記クリシェにおいて、前記関係式１および２を満たす領域が全体溝部パターン領域のうち５０％以上であることが好ましい。
【００２９】
前記クリシェが互いに異なる２以上のパターンを含む場合、前記２以上のパターンは深さＤが同一であり、前記深さＤは前記線形パターンが備えられない領域の比Ｒが最も小さいパターンを基準に前記関係式１および２を満たすことが好ましい。
【００３０】
前記クリシェが互いに異なる２以上のパターンを含む場合、前記２以上のパターンは深さＤが互いに異なる２以上の領域を含み、前記パターンの深さが互いに異なる２以上の領域は各々前記関係式１および２を満たすことが好ましい。このようなクリシェはダブルエッチングによって製造されることができる。
【００３１】
また１つの例として、本発明においては、溝部パターンを含むクリシェとして、前記溝部パターンが網状パターンからなる領域を含み、前記網状パターンからなる領域は、その領域内で網状パターンを構成する線の交差点を３個以上を含むスクエア領域として前記網状パターンの線幅Ｗと深さＤ、前記スクエア領域のうち前記網状パターンが備えられない領域の比Ｒおよび前記網状パターンに対応するパターン形成用マスクパターンの開口線幅Ｗ０が下記関係式１および４を満たす領域を含むことを特徴とするクリシェを用いることができる。
［関係式１］
Ｗ＝２Ｄ＋Ｗ０＋Ｘ
［関係式４］
Ｄ≧３３．８ｅｘｐ（−Ｒ／０．２３５）＋０．８２
ここで、Ｘは定数であり、
Ｄ、Ｗ、Ｗ０およびＸはマイクロメーター単位の値であり、
Ｒは０超過１未満の値である。
【００３２】
前記スクエア領域における前記網状パターンの線幅Ｗ、ピッチＰおよび前記スクエア領域のうち前記網状パターンが備えられない領域の比Ｒは下記関係式５をさらに満たすことができる。
［関係式５］
Ｒ＝（Ｐ−Ｗ）２／Ｐ２＝（１−Ｗ／Ｐ）２
ここで、Ｗ、ＰおよびＸはマイクロメーター単位の値であり、
Ｒは０超過１未満の値である。
【００３３】
前記網状パターンは規則または不規則パターンであってもよく、前記関係式１および４を満たす領域が全体溝部パターン領域のうち５０％以上であることが好ましい。
【００３４】
前記溝部パターンは前記スクエア領域のうち互いに異なる２以上のパターンを含み、前記２以上のパターンは深さＤが同一であり、前記深さＤは前記線形パターンが備えられない領域の比Ｒが最も小さいパターンを基準に前記関係式１および４を満たすことが好ましい。
【００３５】
前記クリシェが互いに異なる２以上のパターンを含む場合、前記２以上のパターンは深さＤが互いに異なる２以上の領域を含み、前記パターンの深さが互いに異なる２以上の領域は各々前記関係式１および４を満たすことが好ましい。このようなクリシェはダブルエッチングによって製造されることができる。
【００３６】
また１つの例として、本発明においては、溝部パターンを含むクリシェとして、前記溝部パターンが網状パターンおよび網状パターンの分節したパターンからなる領域を含み、前記領域は、その領域内で網状パターンを構成する線の交差点を３個以上含むスクエア領域として前記網状パターンの線幅Ｗと深さＤ、前記スクエア領域のうち前記網状パターンおよび網状パターンの分節したパターンが備えられない領域の比Ｒおよび前記網状パターンおよび網状パターンの分節したパターンに対応するパターン形成用マスクパターンの開口線幅Ｗ０が下記関係式１および４を満たす領域を含むことを特徴とするクリシェを用いることができる。
［関係式１］
Ｗ＝２Ｄ＋Ｗ０＋Ｘ
［関係式４］
Ｄ≧３３．８ｅｘｐ（−Ｒ／０．２３５）＋０．８２
ここで、Ｘは定数であり、
Ｄ、Ｗ、Ｗ０およびＸはマイクロメーター単位の値であり、
Ｒは０超過１未満の値である。
【００３７】
ここで、網状パターンの分節したパターンとは、網状パターンが断線によって変形されたパターンを意味する。
【００３８】
前記スクエア領域における前記網状パターンおよび網状パターンの分節したパターンの線幅Ｗ、ピッチＰおよび前記スクエア領域のうち前記網状パターンおよび網状パターンの分節したパターンが備えられない領域の比Ｒは下記関係式５をさらに満たすことができる。
［関係式５］
Ｒ＝（Ｐ−Ｗ）２／Ｐ２＝（１−Ｗ／Ｐ）２
ここで、Ｗ、ＰおよびＸはマイクロメーター単位の値であり、
Ｒは０超過１未満の値である。
【００３９】
前記クリシェにおいて、前記関係式１および４を満たす領域が全体溝部パターン領域のうち５０％以上であることが好ましい。
【００４０】
前記クリシェの前記溝部パターンは互いに交差しない線形パターン、網状パターンまたはこれらをいずれも含むことができる。
【００４１】
本発明によるタッチパネルにおいて、前記第１伝導性パターンは線幅が２０マイクロメーター以下の伝導性ラインを含むことができ、１５マイクロメーター以下、１０マイクロメーター以下、７マイクロメーター以下、４マイクロメーター以下、または３マイクロメーター以下の線幅を有する伝導性ラインを含むことができる。本発明において、前記伝導性ラインの線幅は０．５〜１０マイクロメーターの範囲内で調節されることができる。前記第３伝導性パターンの開口率、すなわち、パターンによって覆われない透明基材の面積比率は７０％以上であることが好ましく、９０％以上、９３％以上、９５％以上、９６％以上、９７％以上、９８％以上、９９％以上であってもよい。
【００４２】
本発明において、前記第１伝導性パターンの線高さは、０．０１マイクロメーター以上１マイクロメーター以下、１マイクロメーター以上２マイクロメーター以下、２マイクロメーター以上５マイクロメーター以下、５マイクロメーター以上１０マイクロメーター以下、または１０マイクロメーター以上であってもよく、当業者であれば、用途、工程や材料に応じて選択することができる。
【００４３】
本発明によるタッチパネルにおいて、前記第１伝導性パターンと第２伝導性パターンの線幅は互いに同一に形成されることができる。このようにして、第１伝導性パターンと第２伝導性パターンの電気的な接続がより安定することができる。図１に本発明の一実施状態による伝導性パターンを例示する。
【００４４】
本発明によるタッチパネルにおいて、前記第１伝導性パターン、第２伝導性パターンおよび第３伝導性パターンは各々独立して直線からなってもよいが、曲線、波線、ジグザグ線などの様々な変形が可能である。また、前記形態の線のうち少なくとも２種類が混在した形態であってもよい。
【００４５】
特に、従来には、ルータ部とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結するＦＰＣＢ連結領域の全体が伝導性物質で塗布されたが、本発明においては、前記ＦＰＣＢ連結領域のうち少なくとも一部領域を開口領域がある伝導性パターンで構成することにより、印刷法によって画面部と共に１つの工程で形成することができる。これにより、低費用と簡単な工程でタッチパネルを提供することができる。
【００４６】
また、本発明においては、ＦＰＣＢ連結領域の全体が伝導性物質で塗布されているものではなく、開口領域がある伝導性パターンで構成することにより、本発明によるタッチパネルの第２パッド部とＦＰＣＢ部の付着時の付着力をより向上させることができる。
【００４７】
本発明によるタッチパネルにおいて、前記第１伝導性パターン、第２伝導性パターンおよび第３伝導性パターンは各々独立して三角以上、例えば、三角形、四角形、五角形、六角形または七角形以上の多角形パターンを含むことができる。
【００４８】
本発明によるタッチパネルにおいて、前記第１伝導性パターン、第２伝導性パターンおよび第３伝導性パターンは各々独立して規則パターンを含むことができる。ここで、規則パターンとは、パターンの形状が規則性を有することを意味する。例えば、前記第１伝導性パターン、第２伝導性パターンおよび第３伝導性パターンは各々独立して長方形または正方形のようなメッシュ形状や、六角形のような形状のパターンを含むことができる。
【００４９】
本発明によるタッチパネルにおいて、前記第１伝導性パターン、第２伝導性パターンおよび第３伝導性パターンは各々独立して不規則パターンを含むことができる。ここで、不規則パターンとは、パターンの形状が規則性を有しないことを意味する。特に、前記第３伝導性パターンは、モアレ現象の防止のために少なくとも一部の不規則パターンを含むことが好ましい。
【００５０】
本発明によるタッチパネルにおいて、前記第１伝導性パターンは規則的なパターンであり、伝導性パターンを構成する線のうち任意の複数の線が交差して形成される交差点を含み、この時、このような交差点の数は３．５ｃｍ×３．５ｃｍ面積で３，０００〜１２２，５００個であってもよく、１３，６１１〜３０，６２５個であってもよく、１９，６００〜３０，６２５個であってもよい。また、本発明の一実施状態によれば、ディスプレイに装着時、４，０００〜１２３，０００個である場合がディスプレイの光学特性を大きく害しない光特性を示すことを確認した。
【００５１】
また、本発明によるタッチパネルにおいて、前記第１伝導性パターンは不規則的なパターンであり、伝導性パターンを構成する線のうち任意の複数の線が交差して形成される交差点を含み、この時、このような交差点の数は３．５ｃｍ×３．５ｃｍ面積で６，０００〜２４５，０００個であってもよく、３，０００〜１２２，５００個であってもよく、１３，６１１〜３０，６２５個であってもよく、１９，６００〜３０，６２５個であってもよい。また、本発明の一実施状態によれば、ディスプレイに装着時、４，０００〜１２３，０００個である場合がディスプレイの光学特性を大きく害しない光特性を示すことを確認した。
【００５２】
前記第１伝導性パターンのピッチは６００μｍ以下であってもよく、２５０μｍ以下であってもよいが、これは、当業者が所望する透過度および伝導度に応じて調整することができる。
【００５３】
本発明に用いられる第１伝導性パターンは、比抵抗１×１０６オーム・ｃｍ〜３０×１０６オーム・ｃｍの物質が好適であり、７×１０６オーム・ｃｍ以下であるものがより好ましい。
【００５４】
本発明において、前記第１伝導性パターンは不規則的なパターンであってもよい。
【００５５】
前記不規則的なパターンは、連続して連結された閉鎖図形の輪郭構造を含み、前記不規則的な任意の単位面積（１ｃｍ×１ｃｍ）内で同一形態の閉鎖図形は存在せず、前記閉鎖図形の頂点数は、前記閉鎖図形と同一の個数の四角形の頂点数と異なってもよい。より具体的には、前記閉鎖図形の頂点数は、前記閉鎖図形と同一の個数の四角形の頂点数と比較した時により多くてもよく、１．９〜２．１倍さらに多くてもよいが、これのみに限定されるのではない。
【００５６】
前記閉鎖図形は互いに連続して連結されたものであり、例えば、前記閉鎖図形が多角形である場合は、互いに隣り合う閉鎖図形が少なくとも１つの辺を共有する形態であってもよい。
【００５７】
前記不規則的なパターンは、連続して連結された閉鎖図形の輪郭構造を含み、前記不規則的なパターンは、任意の単位面積（１ｃｍ×１ｃｍ）内で同一形態の閉鎖図形は存在せず、前記閉鎖図形の頂点数は、前記閉鎖図形の各々の重心間の最短距離を連結して形成した多角形の頂点数と異なってもよい。より具体的には、前記閉鎖図形の頂点数は、前記閉鎖図形の各々の重心間の最短距離を連結して形成した多角形の頂点数と比較した時により多くてもよく、１．９〜２．１倍さらに多くてもよいが、これのみに限定されるのではない。
【００５８】
前記不規則的なパターンは、連続して連結された閉鎖図形の輪郭構造を含み、前記不規則的なパターンは、任意の単位面積（１ｃｍ×１ｃｍ）内で同一形態の閉鎖図形は存在せず、前記閉鎖図形は、下記数学式１の値が５０以上であってもよい。
［数学式１］
（頂点間の距離の標準偏差／頂点間の距離の平均）×１００
前記数学式１の値は伝導性パターンの単位面積内で計算されることができる。前記単位面積は伝導性パターンが形成される面積であってもよく、例えば、３．５ｃｍ×３．５ｃｍなどであってもよいが、これのみに限定されるのではない。
【００５９】
本発明において、前記頂点は、伝導性パターンの閉鎖図形の輪郭を構成する線が互いに交差する点を意味するものとして定義することにする。
【００６０】
前記不規則的なパターンは、規則的に配列された単位ユニットセル内に各々任意の点を配置した後、各々の点が他の点からの距離に比べて最も近くにある点と連結してなった閉鎖図形の輪郭構造の形態であってもよい。
【００６１】
この時、前記規則的に配列された単位ユニットセル内に任意の点を配置する方式にランダムネスを導入する場合に、前記不規則的なパターンが形成されることができる。例えば、前記ランダムネスを０として付与する場合は、単位ユニットセルが正方形であれば伝導性パターンは正方形のメッシュ構造が形成され、単位ユニットセルが正六角形であれば伝導性パターンはハニカム（ｈｏｎｅｙｃｏｍｂ）構造が形成されることになる。すなわち、前記不規則的なパターンは、前記ランダムネスが０でないパターンを意味する。
【００６２】
本発明による不規則パターン形状の伝導性パターンにより、パターンをなす線の偏り現象などを抑制することができ、ディスプレイから均一な透過率を得るようにすると同時に単位面積に対する線密度を同一に維持させることができ、均一な伝導度を確保できるようになる。
【００６３】
本発明の１つの好ましい実施状態によれば、第２伝導性パターンおよび第３伝導性パターンはストライプパターンであることが好ましく、第１伝導性パターンは前述した規則、不規則またはこれらの組み合わせパターンを含むことができる。
【００６４】
前記伝導性パターンの製作時、制限された面積にパターンをデザインした後、前記制限された面積を繰り返して連結する方式を利用することによって大面積パターンを製作することもできる。前記パターンを繰り返して連結するためには、各４辺の点の位置を固定することによって反復的なパターンが互いに連結されるようにすることができる。この時、制限された面積は規則性によるモアレ現象を防止するために１ｃｍ２以上の面積を有することが好ましく、５ｃｍ２以上の面積を有することがより好ましいが、所望する伝導性パターン面積に応じて当業者が選択することができる。
【００６５】
前述した伝導性パターンを製作するためには、先ず、目的とするパターン形状を決定した後、印刷法を利用することによって透明基材上に前述した伝導性パターンを形成することができる。
【００６６】
前記印刷法は、伝導性パターン材料を含むペーストを目的とするパターン形状で透明基材上に転写した後に焼成する方式で行われることができる。前記転写方法は特に限定されないが、凹版またはスクリーンなどのパターン転写媒体に前記パターン形状を形成し、これを利用して所望のパターンを透明基材に転写することができる。前記パターン転写媒体にパターン形状を形成する方法は当技術分野で周知の方法を利用することができる。
【００６７】
前記印刷法は特に限定されず、オフセット印刷、スクリーン印刷、グラビア印刷、フレキソ印刷、インクジェット印刷などの印刷法が利用されることができ、これらのうち１種以上の複合方法が利用されることもできる。前記印刷法は、ロール・ツー・ロール（ｒｏｌｌ  ｔｏ  ｒｏｌｌ）方法、ロール・ツー・プレート（ｒｏｌｌ  ｔｏ  ｐｌａｔｅ）、プレート・ツー・ロール（ｐｌａｔｅ  ｔｏ  ｒｏｌｌ）またはプレート・ツー・プレート（ｐｌａｔｅ  ｔｏ  ｐｌａｔｅ）方法を利用することができる。
【００６８】
本発明においては、精密な伝導性パターンを実現するためにリバースオフセット印刷法を応用することが好ましい。図２は、リバースオフセット印刷方法を利用した直接間接工程を例示したものである。図２によれば、ブランケットと呼ばれるシリコン系ゴム上にエッチング（Ｅｔｃｈｉｎｇ）時にレジスト（Ｒｅｓｉｓｔ）役割を行うことができるインクを全面積にかけてコーティングした後、これを１次クリシェと呼ばれるパターンが彫られた凹版を通じて必要のない部分を除去し、２次でブランケットに残っている印刷パターンを金属などが蒸着されたフィルムあるいはガラスのような基材に転写した後、これを焼成およびエッチング工程を経て所望のパターンを形成する方法を行うことができる。このような方法を利用する場合、金属が蒸着された基材を用いることによって全領域での線高さの均一性が確保されることで厚さ方向の抵抗を均一に維持できるという長所を有する。
【００６９】
本発明が適用できるまた他の例は図３のようなグラビアオフセット（Ｇｒａｖｕｒｅ  ｏｆｆｓｅｔ）方式を利用したものである。グラビアオフセット印刷は、パターンが彫られた凹版にペーストを充填した後、ブランケットに１次転写を行った後、ブランケットと透明基材を密着させて２次転写を行う方式で行われることができる。この他に、グラビア印刷は、ロール上にパターンが彫られたブランケットを巻き、ペーストをパターン内に充填した後、透明基材に転写する方式に変形して行われることができる。本発明においては、前記方式のみならず、前記方式が複合的に利用されることもできる。
【００７０】
本発明の一実施状態によれば、前記第１伝導性パターン部、第２伝導性パターンおよび第３伝導性パターン部は各々独立して黒化することができる。これにより、伝導性パターンが金属材料からなる場合にも、可視性をより減少させることができる。直接に伝導性材料を印刷してパターンを形成する場合は、前記伝導性パターンを黒化させるために、伝導性パターンの形成のためのペーストあるいはインクに黒化物質を添加するか、前記ペーストあるいはインクを印刷および焼成後に黒化処理を行うことによって伝導性パターンを黒化させることができる。
【００７１】
前記インクあるいはペーストに添加できる黒化物質としては、金属酸化物、カーボンブラック、カーボンナノチューブ、黒色顔料、着色したガラスフリットなどが挙げられる。焼成後の黒化処理は、インクあるいはペーストがＡｇ系である場合、酸化溶液、例えば、ＦｅまたはＣｕイオン含有溶液に浸漬、塩素イオンなどのハロゲンイオン含有溶液に浸漬、過酸化水素、硝酸などへの浸漬、ハロゲンガスでの処理などを通じて処理することができる。
【００７２】
金属材料を直接印刷する方法でないエッチングを通じて形成する方法の場合、また他の形態の黒化例は、人がながめる面に黒化層を蒸着した後、伝導度付与のための層をその上に蒸着して、後続エッチング工程時に一度にパターニングする方法を利用することができる。一例として、ＭｏＯｘＮｙを通じて黒化層を蒸着した後、Ａｌ層をその上に蒸着し、このような基材上にレジストインクを印刷してエッチングする場合、ＭｏＯｘＮｙとＡｌはリン酸、硝酸、酢酸、水の混合液のようなエッチング液（Ｅｔｃｈａｎｔ）に同時にパターン化されることで所望の面の黒化を処理することができる。
【００７３】
本発明において、前記第１伝導性パターン、第２伝導性パターンおよび第３伝導性パターンは透明基材上に形成されることができる。前記透明基材は特に限定されないが、光透過率が５０％以上、好ましくは７５％以上、より好ましくは８８％以上であることが好ましい。具体的には、前記透明基材としてはガラスを用いることができ、プラスチック基板またはプラスチックフィルムを用いることもできる。前記プラスチック基板またはフィルムとしては当技術分野で周知の材料を用いることができ、例えば、ポリアクリル系、ポリウレタン系、ポリエステル系、ポリエポキシ系、ポリオレフィン系、ポリカーボネート系およびセルロース系のうちから選択された１種以上の樹脂で形成されたものを用いることができる。より具体的には、ＰＥＴ（Ｐｏｌｙｅｔｈｙｌｅｎｅ  ｔｅｒｅｐｈｔｈａｌａｔｅ）、ＰＶＢ（ｐｏｌｙｖｉｎｙｌｂｕｔｙｒａｌ）、ＰＥＮ（ｐｏｌｙｅｔｈｙｌｅｎｅ  ｎａｐｈｔｈａｌａｔｅ）、ＰＥＳ（ｐｏｌｙｅｔｈｅｒｓｕｌｆｏｎ）、ＰＣ（ｐｏｌｙｃａｒｂｏｎａｔｅ）、アセチルセルロイドのような可視光透過率８０％以上のフィルムが好ましい。前記プラスチックフィルムの厚さは１２．５〜５００マイクロメーターであることが好ましく、５０〜４５０マイクロメーターであることがより好ましく、５０〜２５０マイクロメーターであることがさらに好ましい。前記プラスチック基板は、プラスチックフィルムの一面または両面に水分、ガス遮断のためのガスバリア層、強度の補強および透過率の向上、ヘイズ（Ｈａｚｅ）値の低下のためのハードコート層のような様々な機能性層が積層された構造の基板であってもよい。前記プラスチック基板に含まれてもよい機能性層は前述したものに限定されず、様々な機能性層が備えられることができる。
【００７４】
本発明において、前記第１伝導性パターン、第２伝導性パターンおよび第３伝導性パターンの材料としては電気伝導度に優れる金属を用いることが好ましい。また、前記伝導性パターン材料の比抵抗値は１  ｍｉｃｒｏＯｈｍ・ｃｍ以上１００  ｍｉｃｒｏＯｈｍ・ｃｍ以下であることが好ましく、より好ましくは１  ｍｉｃｒｏＯｈｍ・ｃｍ以上５  ｍｉｃｒｏＯｈｍ・ｃｍ以下の値を有したものが良い。伝導性パターン材料の具体的な例として、金属、金属酸化物、金属窒化物、金属酸化窒化物および金属合金（ａｌｌｏｙ）からなる群から選択される１種以上を含むことができる。より具体的には、Ａｇ、Ｃｕ、Ｃｒ、Ａｌ、Ｍｏ、Ｎｉ、これらの酸化物、これらの窒化物、これらの酸化窒化物およびこれらの合金からなる群から選択される１種以上を含むことができる。前記伝導性パターン材料は、直接印刷の場合、粒子形態に変換して用いることができ、この時、粒子形態は、前述した金属の単一組成あるいは混合組成を有する粒子が可能である。
【００７５】
本発明において、前記伝導性パターン材料を含むインクあるいはペーストを用いる場合、前記インクあるいはペーストは、印刷工程が容易になるように、前述した伝導性パターン材料以外に有機バインダーをさらに含むこともできる。前記有機バインダーは、焼成工程において揮発する性質を有することが好ましい。前記有機バインダーとしてはポリアクリル系樹脂、ポリウレタン系樹脂、ポリエステル系樹脂、ポリオレフィン系樹脂、ポリカーボネート系樹脂、セルロース樹脂、ポリイミド系樹脂、ポリエチレンナフタレート系樹脂および変性エポキシなどが挙げられるが、これらのみに限定されるものではない。
【００７６】
前記タッチパネルは電源に連結されることができ、この時、開口率を考慮した単位面積当たりの抵抗値は、常温で０．０１ｏｈｍ／ｓｑｕａｒｅ〜１０００ｏｈｍ／ｓｑｕａｒｅ、好ましくは５ｏｈｍ／ｓｑｕａｒｅ〜１５０ｏｈｍ／ｓｑｕａｒｅである。
【００７７】
また、本発明によるタッチパネルの少なくとも一面には、反射防止フィルム、偏光フィルム、耐指紋フィルムのうち少なくとも１つが備えられることができる。設計仕様に応じ、前述した機能性フィルム以外に他種類の機能性フィルムをさらに含むこともできる。前記のようなタッチパネルは、ＯＬＥＤディスプレイパネル（ＯＬＥＤ  Ｄｉｓｐｌａｙ  Ｐａｎｅｌ）、液晶ディスプレイ（Ｌｉｑｕｉｄ  Ｃｒｙｓｔａｌ  Ｄｉｓｐｌａｙ、ＬＣＤ）、および陰極線管（Ｃａｔｈｏｄｅ−Ｒａｙ  Ｔｕｂｅ、ＣＲＴ）、ＰＤＰのようなディスプレイ装置に適用されることができる。
【実施例】
【００７８】
以下、本発明の理解を助けるために好ましい実施例を提示する。但し、下記の実施例は本発明を例示するためのものであって、これによって本発明の範囲が限定されるものではない。
【００７９】
＜実施例＞
ＰＥＴ（ｐｏｌｙｅｔｈｙｌｅｎｅ  ｔｅｒｅｐｈｔｈａｌａｔｅ）基材上にＡｌ金属を蒸着した後、印刷工程を通じて伝導性パターンを形成し、エッチングおよび剥離工程を経て、図５のようなＦＰＣＢ連結領域を含む伝導性パターンを形成した。
下記表１のように、開口領域の比率を異ならせたＦＰＣＢ連結領域を含むパッド部サンプルの２種にＦＰＣＢをＡＣＦ'（Ａｎｉｓｏｔｒｏｐｉｃ  Ｃｏｎｄｕｃｔｉｖｅ  Ｆｉｌｍ）を用いて付着した後、これを図４のようなＴｅｘｔｕｒｅ  Ａｎａｌｙｚｅｒ  ＸＴ  Ｐｌｕｓ（Ｓｐｅｅｄ：５０ｍｍ／ｍｉｎ）を用いて付着力テスト（Ｐｅｅｌ  Ｔｅｓｔ）を行った。
【表１】
0005995227.tif 000002
【００８０】
前記表１の結果のように、本発明においては、ルータ部とフレキシブルプリント回路基板（Ｆｌｅｘｉｂｌｅ  ｐｒｉｎｔｅｄ  ｃｉｒｃｕｉｔ  ｂｏａｒｄｓ、ＦＰＣＢ）部を連結するＦＰＣＢ連結領域の全体が伝導性物質で塗布されているものではなく、開口領域がある伝導性パターンで構成することにより、本発明によるタッチパネルとＦＰＣＢ部の付着時の付着力をより向上できたことが分かる。
【図２】
0005995227.tif 000003
【図３】
0005995227.tif 000004
【図１】
0005995227.tif 000005
【図４】
0005995227.tif 000006
【図５】
0005995227.tif 000007
【図６】
0005995227.tif 000008